(57)【要約】      （修正有）【課題】受信アンテナ装置が取り外されたとしても安全を保てるコンピュータ本体及びこれに外部接続される受信アンテナ装置とからなるコンピュータロックシステムを提供する。【解決手段】コンピュータロックシステムは、コンピュータ本体０と、これに接続される受信アンテナ装置とからなる。受信アンテナ装置は、アンテナ信号受信部とアンテナ信号出力部とからなる。コンピュータ本体は、アンテナ信号取得部からの取得部信号にロック解除ＩＤが含まれるか間欠的に判断する判断部と、取得部信号に基づいて判断されたコンピュータ本体のディスプレイインターフェースが通常に利用可能な状態とするか否かを示す利用可能ステータス情報を保持する利用可能ステータス情報保持部と、利用可能化部と、利用不能化部と、利用可能ステータス情報に基づいてディスプレイインターフェースを制御する制御部と、を有する。【選択図】図２
2020161166.tif 000002
【特許請求の範囲】
【請求項１】
コンピュータ本体と、コンピュータ本体に外部接続される受信アンテナ装置と、からなるコンピュータロックシステムであって、
受信アンテナ装置は、
無線にてノイズ・無信号を含みうるアンテナ信号を受信するアンテナ信号受信部と、
受信したアンテナ信号をコンピュータ本体に出力するアンテナ信号出力部と、からなり、
コンピュータ本体は、
前記アンテナ信号出力部から出力されるアンテナ信号を取得するためのアンテナ信号取得部と、
アンテナ信号取得部からのアンテナ信号を含む又は、アンテナ信号取得部からのアンテナ信号を含まない信号である取得部信号にコンピュータ本体のディスプレイインターフェースが通常に利用可能な状態とするためのＩＤであるロック解除ＩＤが含まれるか間欠的に判断する判断部と、
取得部信号に基づいて判断されたコンピュータ本体のディスプレイインターフェースが通常に利用可能な状態とするか否かを示す利用可能ステータス情報を保持する利用可能ステータス情報保持部と、
判断部での判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化部と、
判断部での判断結果が有効な解除ＩＤを含まないとの判断結果である場合には利用可能ステータス情報保持部の利用可能ステータス情報をコンピュータ本体のディスプレイインターフェースがディスプレイを通常には利用できない状態とするための利用不能ステータスとする利用不能化部と、
利用可能ステータス情報保持部に保持されている利用可能ステータス情報に基づいてディスプレイインターフェースを制御する制御部と、
を有するコンピュータロックシステム。
【請求項２】
コンピュータ本体のアンテナ信号取得部と、判断部と、利用可能ステータス情報保持部と、利用可能化部と、利用不能化部と、制御部と、はコンピュータ稼働中は常に動作状態にあるように構成されている請求項１に記載のコンピュータロックシステム。
【請求項３】
受信アンテナ装置のアンテナ信号受信部と、アンテナ信号出力部と、は稼働中のコンピュータ本体に外部接続されている場合には、常に動作状態にあるように構成されている請求項１又は２に記載のコンピュータロックシステム。
【請求項４】
コンピュータ本体は、
インターフェースからの入力が所定時間ない場合にスクリーンセイバー画面をディスプレイ出力するスクリーンセイバー部と、
制御部の動作と、スクリーンセイバー部の動作とが競合する場合には制御部の動作を優先する競合調整部と、
をさらに有する請求項１から請求項３のいずれか一に記載のコンピュータロックシステム。
【請求項５】
判断部での判断結果が有効な解除ＩＤを含まないとの判断結果であり、コンピュータ本体のディスプレイインターフェースがディスプレイを通常には利用できない状態である場合に、パスワードの入力を受け付けるパスワード入力受付部と、
パスワードが正しいパスワードであるか判断するためのパスワード判断部と、
パスワード判断部での判断結果がパスワードが正しいパスワードであるとの判断結果である場合に、強制的に利用可能ステータス情報保持部の利用可能ステータス情報を利用可能ステータスに固定とする利用可能ステータス固定部と、
をさらに有する請求項１から請求項４のいずれか一に記載のコンピュータロックシステム。
【請求項６】
利用可能ステータス固定部にて利用可能ステータス情報が利用可能ステータスに固定されている場合に、
コンピュータ本体のアンテナ信号取得部と、判断部と、利用不能化部と、によってコンピュータ本体のディスプレイインターフェースがディスプレイを通常には利用できない状態とすることができないように機能を不活性化する不活性化部を有する請求項５に記載のコンピュータロックシステム。
【請求項７】
コンピュータ本体と、コンピュータ本体に外部接続される受信アンテナ装置と、はＵＳＢケーブル経由で接続され、受信アンテナ装置のアンテナ信号出力部と、コンピュータ本体のアンテナ信号取得部と、はこのＵＳＢケーブルにて信号の受け渡しをし、受信アンテナ装置は、このＵＳＢケーブルにて給電されている請求項１から６のいずれか一に記載のコンピュータロックシステム。
【請求項８】
受信アンテナ装置のアンテナ信号受信部は、無電源ＲＦＩＤから信号を受信するように構成されている請求項１から７のいずれか一に記載のコンピュータロックシステム。
【請求項９】
コンピュータ本体は、
ネットワークを介して受信した信号にネットワークを介して接続されている接続コンピュータのアンテナ信号取得部からのアンテナ信号を含む又は、アンテナ信号取得部からのアンテナ信号を含まない信号である取得部信号にコンピュータ本体のディスプレイインターフェースが通常に利用可能な状態とするためのＩＤであるロック解除ＩＤが含まれるか間欠的に判断するネットワーク経由信号判断部と、
ネットワーク経由信号判断部での判断結果がロック解除信号が含まれるとの判断結果である場合にはコンピュータ本体のインターフェースが通常に利用可能な状態のインターフェース信号をネットワークを介して前記接続コンピュータに送信するネットワーク経由インターフェース信号出力部と、
を有する請求項１から請求項８のいずれか一に記載のコンピュータロックシステム。
【請求項１０】
請求項１から請求項９に記載のコンピュータ本体。
【請求項１１】
コンピュータ本体と、コンピュータ本体に外部接続される受信アンテナ装置と、からなるコンピュータロックシステムのコンピュータ本体の動作方法であって、
受信アンテナ装置は、
無線にてノイズ・無信号を含みうるアンテナ信号を受信するアンテナ信号受信部と、
受信したアンテナ信号をコンピュータ本体に出力するアンテナ信号出力部と、を有し、
コンピュータ本体を、
前記アンテナ信号出力部から出力されるアンテナ信号を取得するためのアンテナ信号取得ステップと、
アンテナ信号取得ステップでのアンテナ信号を含む又は、アンテナ信号取得ステップでのアンテナ信号を含まない信号である取得部信号にコンピュータ本体のディスプレイインターフェースが通常に利用可能な状態とするためのＩＤであるロック解除ＩＤが含まれるか間欠的に判断する判断ステップと、
取得部信号に基づいて判断されたコンピュータ本体のディスプレイインターフェースが通常に利用可能な状態とするか否かを示す利用可能ステータス情報を常時保持する利用可能ステータス情報保持ステップと、
判断ステップでの判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップと、
判断ステップでの判断結果が有効な解除ＩＤを含まないとの判断結果である場合には利用可能ステータス情報保持ステップの利用可能ステータス情報をコンピュータ本体のディスプレイインターフェースがディスプレイを通常には利用できない状態とするための利用不能ステータスとする利用不能化ステップと、
利用可能ステータス情報保持ステップにて保持されている利用可能ステータス情報に基づいてディスプレイインターフェースを制御する制御ステップと、
にて動作させるコンピュータ本体の動作方法。
【請求項１２】
コンピュータ本体と、コンピュータ本体に外部接続される受信アンテナ装置と、からなるコンピュータロックシステムのコンピュータ本体の動作プログラムであって、
受信アンテナ装置は、
無線にてノイズ・無信号を含みうるアンテナ信号を受信するアンテナ信号受信部と、
受信したアンテナ信号をコンピュータ本体に出力するアンテナ信号出力部とを有し、
コンピュータ本体を、
前記アンテナ信号出力部から出力されるアンテナ信号を取得するためのアンテナ信号取得ステップと、
アンテナ信号取得ステップでのアンテナ信号を含む又は、アンテナ信号取得ステップでのアンテナ信号を含まない信号である取得部信号にコンピュータ本体のディスプレイインターフェースが通常に利用可能な状態とするためのＩＤであるロック解除ＩＤが含まれるか間欠的に判断する判断ステップと、
取得部信号に基づいて判断されたコンピュータ本体のディスプレイインターフェースが通常に利用可能な状態とするか否かを示す利用可能ステータス情報を常時保持する利用可能ステータス情報保持ステップと、
判断ステップでの判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップと、
判断ステップでの判断結果が有効な解除ＩＤを含まないとの判断結果である場合には利用可能ステータス情報保持ステップの利用可能ステータス情報をコンピュータ本体のディスプレイインターフェースがディスプレイを通常には利用できない状態とするための利用不能ステータスとする利用不能化ステップと、
利用可能ステータス情報保持ステップにて保持されている利用可能ステータス情報に基づいてディスプレイインターフェースを制御する制御ステップと、
にて動作させるコンピュータ本体の動作プログラム。
【発明の詳細な説明】
【技術分野】
【０００１】
本発明は、コンピュータロックシステムに関し、コンピュータ本体と、コンピュータ本体に外部接続される受信アンテナ装置と、からなるコンピュータロックシステムに関する。
【背景技術】
【０００２】
〔従来の技術〕
【０００３】
従来、特定ユーザがコンピュータを操作中に中座したり、離れる場合にキーボードやマウスのデータ入力を無効とする処理装置の制御方法または装置が知られている。この例としては、例えば特開２００１−２６８６５５号公報（特許文献１）が挙げられる。この特許文献１には、アンテナを備えたコンピュータと携帯型情報端末（ＰＤＡ）とマウス等を有し、コンピュータに内蔵した近距離無線通信インターフェースに接続されたアンテナを介して携帯型情報端末と交信する構成を開示している。特定ユーザが携帯型情報端末を所持してコンピュータから離れて交信が不可能な状態になると、キーボードやマウス等のデータ入力を無効とする。また、携帯型情報端末を所持して戻ると、自動的に解除して再使用可能な状態に復帰する。
【０００４】
また、他の例としては、特開２０００−２２２０５９号公報（特許文献２）が挙げられる。特許文献２は、携帯用の無線タグ（ＲＦＩＤカード等）とアンテナを有するＰＯＳ本体によって構成される情報処理装置において、正規ユーザが操作終了処理や中断処理を行わずに、ＰＯＳ本体から離れてしまった場合、データ入力を禁止する。近づいた場合はデータ入力を許可し、不正操作を防止する構成を開示している。
【０００５】
さらに、他の例としては、特開平６−２５９１６０号公報（特許文献３）が挙げられる。特許文献３では、個別の情報を受信するＩＤ情報を受信するレシーバをコンピュータ本体に内蔵させ、個別ＩＤを内蔵したトランスポンダを持つ利用者が近づくだけでＩＤを認識できる装置を開示している。
【先行技術文献】
【特許文献】
【０００６】
【特許文献１】特開２００１−２６８６５５号公報
【特許文献２】特開２０００−２２２０５９号公報
【特許文献３】特開平６−２５９１６０号公報
【発明の概要】
【発明が解決しようとする課題】
【０００７】
しかし、このような安全システムにも弱点がある。例えばコンピュータのロックがかかっていない状態で安全システムの一部をフリーズさせると、適正なロック解除無線信号が到達していないにもかかわらずフリーズ時の状態で固定されて不正利用されることがある。
【０００８】
フリーズの一例としてはプログラムに攻撃を加えることを挙げることができるが、その他アンテナの機能を無効化させてフリーズさせることも考えられる。一例としてはアンテナの接続を切ることである。アンテナからの信号が途絶えてしまえば適正なロック解除無線信号の発信源が交信圏外に出たのか、それとも交信圏内にあるが無線機能が損なわれたのか判断できなくなるからである。なぜならアンテナからの信号をもって判断するように構成されているところ、アンテナからの信号が届かなくなるからである。この判断ができなくなるとコンピュータのロックのステータスが固定化され、実際には交信圏外にいるにもかかわらずコンピュータが不正利用可能な状態となってしまう。
【０００９】
これらの問題の解決には安全システムの一部機能が不全となっても安全システムの重要部分が動作し続けるように構成しなければならない。
【００１０】
本発明の目的は、コンピュータ本体と、コンピュータ本体に外部接続される受信アンテナ装置とからなるコンピュータロックシステムにおいて、受信アンテナ装置が取り外されたとしても、安全を保てるコンピュータロックシステムを提供することにある。
【課題を解決するための手段】
【００１１】
上記課題を解決するために本発明において、以下のコンピュータロックシステムを提供する。すなわち、第一の発明として、コンピュータ本体と、コンピュータ本体に外部接続される受信アンテナ装置と、からなるコンピュータロックシステムであって、受信アンテナ装置は、無線にてノイズ・無信号を含みうるアンテナ信号を受信するアンテナ信号受信部と、受信したアンテナ信号をコンピュータ本体に出力するアンテナ信号出力部と、からなり、コンピュータ本体は、前記アンテナ信号出力部から出力されるアンテナ信号を取得するためのアンテナ信号取得部と、アンテナ信号取得部からのアンテナ信号を含む又は、アンテナ信号取得部からのアンテナ信号を含まない信号である取得部信号にコンピュータ本体のディスプレイインターフェースが通常に利用可能な状態とするためのＩＤであるロック解除ＩＤが含まれるか間欠的に判断する判断部と、取得部信号に基づいて判断されたコンピュータ本体のディスプレイインターフェースが通常に利用可能な状態とするか否かを示す利用可能ステータス情報を保持する利用可能ステータス情報保持部と、判断部での判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化部と、判断部での判断結果が有効な解除ＩＤを含まないとの判断結果である場合には利用可能ステータス情報保持部の利用可能ステータス情報をコンピュータ本体のディスプレイインターフェースがディスプレイを通常には利用できない状態とするための利用不能ステータスとする利用不能化部と、利用可能ステータス情報保持部に保持されている利用可能ステータス情報に基づいてディスプレイインターフェースを制御する制御部と、を有する。
【００１２】
前記特徴に加え、コンピュータ本体のアンテナ信号取得部と、判断部と、利用可能ステータス情報保持部と、利用可能化部と、利用不能化部と、制御部と、はコンピュータ稼働中は常に動作状態にあるように構成されている。
【００１３】
前記特徴に加え、受信アンテナ装置のアンテナ信号受信部と、アンテナ信号出力部と、は稼働中のコンピュータ本体に外部接続されている場合には、常に動作状態にあるように構成されている。
【００１４】
前記特徴に加え、コンピュータ本体は、インターフェースからの入力が所定時間ない場合にスクリーンセイバー画面をディスプレイ出力するスクリーンセイバー部と、制御部の動作と、スクリーンセイバー部の動作とが競合する場合には制御部の動作を優先する競合調整部と、をさらに有する。
【００１５】
前記特徴に加え、判断部での判断結果が有効な解除ＩＤを含まないとの判断結果であり、コンピュータ本体のディスプレイインターフェースがディスプレイを通常には利用できない状態である場合に、パスワードの入力を受け付けるパスワード入力受付部と、パスワードが正しいパスワードであるか判断するためのパスワード判断部と、パスワード判断部での判断結果がパスワードが正しいパスワードであるとの判断結果である場合に、強制的に利用可能ステータス情報保持部の利用可能ステータス情報を利用可能ステータスに固定とする利用可能ステータス固定部と、をさらに有する。
【００１６】
前記特徴に加え、利用可能ステータス固定部にて利用可能ステータス情報が利用可能ステータスに固定されている場合に、コンピュータ本体のアンテナ信号取得部と、判断部と、利用不能化部と、によって、コンピュータ本体のディスプレイインターフェースがディスプレイを通常には利用できない状態とすることができないように機能を不活性化する不活性化部を有する。
【００１７】
前記特徴に加え、コンピュータ本体と、コンピュータ本体に外部接続される受信アンテナ装置と、はＵＳＢケーブル経由で接続され、受信アンテナ装置のアンテナ信号出力部と、コンピュータ本体のアンテナ信号取得部と、はこのＵＳＢケーブルにて信号の受け渡しをし、受信アンテナ装置は、このＵＳＢケーブルにて給電されている。
【００１８】
前記特徴に加え、受信アンテナ装置のアンテナ信号受信部は、無電源ＲＦＩＤから信号を受信するように構成されている（請求項８対応）。
【００１９】
前記特徴に加え、コンピュータ本体は、ネットワークを介して受信した信号にネットワークを介して接続されている接続コンピュータのアンテナ信号取得部からのアンテナ信号を含む又は、アンテナ信号取得部からのアンテナ信号を含まない信号である取得部信号にコンピュータ本体のディスプレイインターフェースが通常に利用可能な状態とするためのＩＤであるロック解除ＩＤが含まれるか間欠的に判断するネットワーク経由信号判断部と、ネットワーク経由信号判断部での判断結果がロック解除信号が含まれるとの判断結果である場合にはコンピュータ本体のインターフェースが通常に利用可能な状態のインターフェース信号をネットワークを介して前記接続コンピュータに送信するネットワーク経由インターフェース信号出力部と、を有する。
前記のコンピュータロックシステムを備えたコンピュータ本体。
【００２０】
第二の発明として、コンピュータ本体と、コンピュータ本体に外部接続される受信アンテナ装置と、からなるコンピュータロックシステムのコンピュータ本体の動作方法であって、受信アンテナ装置は、無線にてノイズ・無信号を含みうるアンテナ信号を受信するアンテナ信号受信部と、受信したアンテナ信号をコンピュータ本体に出力するアンテナ信号出力部と、を有し、コンピュータ本体を、前記アンテナ信号出力部から出力されるアンテナ信号を取得するためのアンテナ信号取得ステップと、アンテナ信号取得ステップでのアンテナ信号を含む又は、アンテナ信号取得ステップでのアンテナ信号を含まない信号である取得部信号にコンピュータ本体のディスプレイインターフェースが通常に利用可能な状態とするためのＩＤであるロック解除ＩＤが含まれるか間欠的に判断する判断ステップと、取得部信号に基づいて判断されたコンピュータ本体のディスプレイインターフェースが通常に利用可能な状態とするか否かを示す利用可能ステータス情報を常時保持する利用可能ステータス情報保持ステップと、判断ステップでの判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップと、判断ステップでの判断結果が有効な解除ＩＤを含まないとの判断結果である場合には利用可能ステータス情報保持ステップの利用可能ステータス情報をコンピュータ本体のディスプレイインターフェースがディスプレイを通常には利用できない状態とするための利用不能ステータスとする利用不能化ステップと、利用可能ステータス情報保持ステップにて保持されている利用可能ステータス情報に基づいてディスプレイインターフェースを制御する制御ステップと、にて動作させるコンピュータ本体の動作方法。
【００２１】
第三の発明として、コンピュータ本体と、コンピュータ本体に外部接続される受信アンテナ装置と、からなるコンピュータロックシステムのコンピュータ本体の動作プログラムであって、受信アンテナ装置は、無線にてノイズ・無信号を含みうるアンテナ信号を受信するアンテナ信号受信部と、受信したアンテナ信号をコンピュータ本体に出力するアンテナ信号出力部とを有し、コンピュータ本体を、前記アンテナ信号出力部から出力されるアンテナ信号を取得するためのアンテナ信号取得ステップと、アンテナ信号取得ステップでのアンテナ信号を含む又は、アンテナ信号取得ステップでのアンテナ信号を含まない信号である取得部信号にコンピュータ本体のディスプレイインターフェースが通常に利用可能な状態とするためのＩＤであるロック解除ＩＤが含まれるか間欠的に判断する判断ステップと、取得部信号に基づいて判断されたコンピュータ本体のディスプレイインターフェースが通常に利用可能な状態とするか否かを示す利用可能ステータス情報を常時保持する利用可能ステータス情報保持ステップと、判断ステップでの判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップと、判断ステップでの判断結果が有効な解除ＩＤを含まないとの判断結果である場合には利用可能ステータス情報保持ステップの利用可能ステータス情報をコンピュータ本体のディスプレイインターフェースがディスプレイを通常には利用できない状態とするための利用不能ステータスとする利用不能化ステップと、利用可能ステータス情報保持ステップにて保持されている利用可能ステータスに基づいてディスプレイインターフェースを制御する制御ステップと、にて動作させるコンピュータ本体の動作プログラム。
【発明の効果】
【００２２】
上述した構成によれば、コンピュータ本体と、コンピュータ本体に外部接続される受信アンテナ装置とからなるコンピュータロックシステムにおいて、受信アンテナ装置が取り外されたとしても、安全を保てるコンピュータロックシステムを提供することができる。
【図面の簡単な説明】
【００２３】
【図１】実施形態１のコンピュータロックシステムの概念図
【図２】実施形態１のコンピュータロックシステムの機能ブロック図
【図３】実施形態１のコンピュータ本体のアンテナ信号取得部における取得部信号を説明するための図
【図４】実施形態１のコンピュータロックシステムのハードウェア構成例を示す図
【図５】実施形態１のコンピュータロックシステムの処理フローチャート
【図６】実施形態２、３のコンピュータロックシステムを説明するための図
【図７】実施形態４のコンピュータロックシステムの機能ブロック図
【図８】実施形態４のコンピュータロックシステムの制御部とスクリーンセイバー部との競合状態のインターフェース利用について説明するための図
【図９】実施形態４のコンピュータロックシステムのハードウェア構成例を示す図
【図１０】実施形態４のコンピュータロックシステムの処理フローチャート
【図１１】実施形態５のコンピュータロックシステムの機能ブロック図
【図１２】実施形態５のコンピュータロックシステムのハードウェア構成例を示す図
【図１３】実施形態５のコンピュータロックシステムの処理フローチャート
【図１４】実施形態６のコンピュータロックシステムの機能ブロック図
【図１５】実施形態６のコンピュータロックシステムのハードウェア構成例を示す図
【図１６】実施形態６のコンピュータロックシステムの処理フローチャート
【図１７】実施形態７、８のコンピュータロックシステムの機能ブロック図
【図１８】実施形態９のコンピュータロックシステムのネットワーク接続対応の概念図
【図１９】実施形態９のコンピュータロックシステムの機能ブロック図
【図２０】実施形態９のコンピュータロックシステムのハードウェア構成例を示す図
【図２１】実施形態９のコンピュータロックシステムの処理フローチャート
【発明を実施するための形態】
【００２４】
以下に、図を用いて本発明の実施の形態を説明する。なお、本発明はこれら実施の形態に何ら限定されるものではなく、その要旨を逸脱しない範囲において、種々なる態様で実施しうる。
【００２５】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、アンテナ、その他の外部周辺装置などのハードウェア構成部、またその外部周辺装置用のインターフェース、通信用インターフェース、ＲＦＩＤ、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００２６】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００２７】
＜実施形態１＞
＜概要＞
図１に示すように、本コンピュータロックシステムは、コンピュータ本体０１００とコンピュータ本体０１００に外部接続される受信アンテナ装置０１０１とからなり、例えばそのコンピュータにログインして作業しているユーザ（図１左図）が座席を離れたときに自動的にコンピュータインターフェース（ディスプレイインターフェース等）にロックがかかり（図１右図）、またユーザが席に戻り、近づいた状態でその受信アンテナ装置０１０１からのアンテナ信号に含まれるロック解除ＩＤを受け取ると、自動的にロックが解除されるシステムを構成している。図１では、その他のハードウェアとして、ユーザが作業中に利用しているディスプレイ０１０２やキーボード０１０３を示している。図１左図のディスプレイ画面は作業中の画面を示し、図１右図のディスプレイ画面はコンピュータロック画面を示す。また、そのロック解除ＩＤはユーザが所持している無電源ＲＦＩＤを利用しても良い。
【００２８】
＜実施形態１  構成＞
図２に示すように、実施形態１のコンピュータロックシステムは、コンピュータ本体０２００と、受信アンテナ装置０２１０と、からなるコンピュータロックシステムであって、受信アンテナ装置０２１０は、アンテナ信号受信部０２１１、アンテナ信号出力部０２１２と、からなり、コンピュータ本体０２００は、アンテナ信号取得部０２０１と、判断部０２０２と、利用可能ステータス情報保持部０２０３と、利用可能化部０２０４と、利用不能化部０２０５と、制御部０２０６と、を有する。
【００２９】
＜実施形態１  構成の説明＞
＜実施形態１  受信アンテナ装置＞
「受信アンテナ装置」０２１０はコンピュータ本体０２００に外部接続されており、コンピュータのログインしているユーザが会社などで在席して作業しており（図１左図）、作業中に席を離れ（図１右図）、受信アンテナ装置との有効交信範囲を超えてユーザが移動すると、ロック解除ＩＤを所有しているユーザとの間で交信できなくなり、自動的にコンピュータにロックがかかる。すなわち、図１右図のような離席中のロック画面の表示になる。次にユーザが席に近づく、又は戻るときに、すなわち受信アンテナ装置の有効交信範囲内に入ると、ユーザが所有しているロック解除ＩＤ（たとえば、ユーザが所持しているカードや無線タグに内蔵している）を含むアンテナ信号を受信し、受信したアンテナ信号の中からコンピュータにロックがかかり利用不能状態からロックを解除するためのロック解除ＩＤをコンピュータ本体に渡す機能を有している。受信アンテナ装置に接続されたコンピュータに対して、受信アンテナ装置のアンテナ信号出力部から自身を認識させるＩＤを出すと良い。
【００３０】
＜実施形態１  アンテナ信号受信部＞
「アンテナ信号受信部」０１１１は無線にてノイズ・無信号を含みうるアンテナ信号を受信する。無線のアンテナ信号は無電源ＲＦＩＤ、近距離無線通信などが利用できる。受信したアンテナ信号にはノイズや無信号の状態も含まれ、上述したロック解除ＩＤなども含まれる。
【００３１】
＜実施形態１  アンテナ信号出力部＞
「アンテナ信号出力部」０２１２は受信したアンテナ信号をコンピュータ本体０２００に出力する。アンテナ信号出力部０２１２の出力はコンピュータ本体０２００のアンテナ信号取得部０２０１に入力される。アンテナ信号にはロック解除ＩＤが含まれる場合とロック解除ＩＤが含まれない場合がある。接続コンピュータに認識させるＩＤをアンテナ信号出力部から出力させても良い。
【００３２】
＜実施形態１  コンピュータ本体＞
「コンピュータ本体」０２００は、コンピュータ、ノートＰＣ、タブレットＰＣ、等が該当し、ディスプレイがコンピュータと別体のディスプレイの場合でもよく、またＰＣと一体型のディスプレイインターフェースのロックであっても良い。コンピュータの作業としては、会社や市役所、公的機関等の複数人のユーザが作業している環境で、作業中に席を離れても何ら設定することなく、コンピュータのロックがかかるシステムとなっている。また、席に戻ってきた場合は、コンピュータ本体０２００に外部接続されている受信アンテナ装置０２１０を介してユーザが所持しているロック解除ＩＤがアンテナ信号に含まれている場合にコンピュータのロックを解除することができる。ここで、コンピュータ本体に外部接続された受信アンテナ装置とユーザ（ロック解除ＩＤを所持している）との有効通信範囲（有効交信範囲）は１〜２メートルの範囲で設定される。なお、受信アンテナ装置は、接続されているコンピュータ本体からの操作によって有効通信範囲（有効交信範囲）を変更できるように構成されていると便利である。送信をロック解除ＩＤの受信に利用する場合には送信強度を上下させ、受信の場合には受信感度を調整するとよい。例えば、上記コンピュータの設置間隔が１メートル未満と狭い場合は有効通信範囲（有効交信範囲）を１メートル以下に設定しても良い。
＜実施形態１  アンテナ信号取得部＞
「アンテナ信号取得部」０２０１はアンテナ信号出力部０２１２から出力されるアンテナ信号を取得する。アンテナ信号取得部０２０１は後述する図３に示すようなアンテナ信号と非アンテナ信号を取得する。
【００３３】
＜実施形態１  判断部＞
「判断部」０２０２はアンテナ信号取得部０２０１からのアンテナ信号を含む又は、アンテナ信号取得部０２０１からのアンテナ信号を含まない信号（非アンテナ信号）である取得部信号にコンピュータ本体０２００のディスプレイインターフェースが通常に利用可能な状態とするためのＩＤであるロック解除ＩＤが含まれるか間欠的に判断する。
【００３４】
図３に示すように、上述した取得部信号は、アンテナ信号とアンテナ信号を含まない非アンテナ信号からなる。取得部信号の形態としては、アンテナ信号（Ａ）のみの場合と非アンテナ信号（Ｂ）のみの場合がある。アンテナ信号（Ａ）のみの場合はロック解除ＩＤ（Ａ−１）だけのときと、ロック解除ＩＤ（Ａ−１）とその他の信号（Ａ−２）が含まれる場合がある。また、アンテナ信号（Ａ）と非アンテナ信号（Ｂ）との双方が含まれる場合は、更にロック解除ＩＤ（Ａ−１）だけとロック解除ＩＤ及びその他の信号（Ａ−１、Ａ−２）が含まれる場合がある。
アンテナ信号（Ａ）のロック解除ＩＤやその他の信号にはアンテナＩＤ付取得部ＩＤが含まれている。また、非アンテナ信号にはアンテナＩＤなしの取得部ＩＤが含まれている。
ここで、非アンテナ信号としては、受信アンテナ装置が接続されていない場合などのコンピュータ本体の受信アンテナ差し込み口で発生する微弱電流も含まれる。従って判断部ないし判断部での判断結果を利用する各部は、取得信号にアンテナＩＤが含まれず、コンピュータロックシステムの一部が機能不全であると判断しても機能し続けるように構成される。アンテナ信号のその他の信号には、判断部や、利用可能化ステータス保持部、利用可能化部、利用不能化部、制御部などの各部のパラメータなどを変更するためのパラメータ変更可能キーが含まれるように構成してもよい。パラメータ変更可能化キーが含まれているかの判断を同じく判断部に担わせ、各部のパラメータの変更をコンピュータ本体のインターフェースから可能となるように構成することが考えられる。判断部のパラメータとしてはロック解除ＩＤを挙げることができ、利用可能ステータス保持部のパラメータとしてはステータスそのものや、利用可能ステータスの有効期間、利用可能ステータスの履歴蓄積期間などを挙げることができ、利用可能化部や利用不能化部のパラメータとしては、利用可能ステータス保持部が複数ある場合にどの利用可能ステータス保持部のステータスを利用可能ステータスや利用不能ステータスとするかを挙げることができる。利用可能ステータス保持部が複数ある場合とは、ＯＳに登録されているログインユーザが複数あるような場合（ログインユーザに応じて利用可能ファイルや利用可能データベース、利用可能外部接続装置、利用可能ネットワーク、利用可能アプリケーションが異なる）である。この場合にはＡさんのロック解除ＩＤが取得された場合にはユーザがＡさんのログイン及びコンピュータ本体の通常の利用が可能となるが、他のユーザのログインには影響を及ぼさないように利用される。制御部のパラメータとしては、制御対象となるディスプレイインターフェースの種類を選別するような場合である。例えば、ディスプレイが一台のコンピュータに複数接続されているような場合にすべてのディスプレイに対して通常の操作が可能なように構成するのか、一部のディスプレイに関してのみ通常の操作が可能なように構成するのかの選択ができるような場合である。またディスプレイインターフェースの制御が時間や時刻に応じてことなるように制御されるように構成することも可能である。
【００３５】
判断部０２０２はこのような取得部信号に基づいてアンテナ信号や非アンテナ信号を間欠的に判断するので、コンピュータ本体に外部接続された受信アンテナ装置が取り外されたとしても、影響を受けることなく、取得部信号に基づいてコンピュータのロックとロック解除を行うことができる。
【００３６】
例えばコンピュータにロックがかかり、ディスプレイインターフェースが利用不能状態になっている場合、判断部０２０２はロック解除ＩＤが含まれていると判断すると、利用可能化部０２０４により利用可能ステータス情報保持部０２０３の利用可能ステータス情報を利用可能ステータスとし、制御部０２０６の制御によりコンピュータのロックを解除する。このとき、ロック解除ＩＤが含まれていない場合はコンピュータのロックを継続した状態を維持する。この判断部の動作は、間欠的に行うことが望ましい。間欠的な時間間隔は、作業内容によって選択されるものであるが、通常の作業であれば数秒から数十秒の時間で設定すれば良い。間欠的な時間間隔を調整するための時間間隔調整部をコンピュータ本体に備えていてもよい。
【００３７】
＜実施形態１  利用可能ステータス情報保持部＞
「利用可能ステータス情報保持部」０２０３は取得部信号に基づいて判断されたコンピュータ本体０２００のディスプレイインターフェースが通常に利用可能な状態とするか否かを示す利用可能ステータス情報を保持する。ディスプレイインターフェースが通常に利用可能な状態とは、コンピュータ本体に接続されたキーボードやマウスによりデータ入力やマウスカーソルによる作業指示が可能な状態をいう。ただし、ロックされている状態でもロック画面にパスワードの入力をするためのカーソル移動や、キー操作は可能なように設計するので、この動作ができる状態を通常に利用可能な状態とは称さない。
【００３８】
＜実施形態１  利用可能化部＞
「利用可能化部」０２０４は判断部０２０２での判断結果が有効な解除ＩＤを含むとの判断結果である場合には利用可能ステータス情報保持部０２０５の利用可能ステータス情報をコンピュータ本体０２００のディスプレイインターフェースが通常に利用可能な状態とするための利用可能ステータスとする。
【００３９】
＜実施形態１  利用不能化部＞
「利用不能化部」０２０５は判断部０２０２での判断結果が有効な解除ＩＤを含まないとの判断結果である場合には利用可能ステータス情報保持部０２０３の利用可能ステータス情報をコンピュータ本体０２００のディスプレイインターフェースがディスプレイを通常には利用できない状態とするための利用不能ステータスとする。
【００４０】
＜実施形態１  制御部＞
「制御部」０２０６は利用可能ステータス情報保持部０２０３に保持されている利用可能ステータス情報に基づいてディスプレイインターフェースを制御する。制御部０２０６は利用可能ステータス情報が利用可能ステータスであれば、ディスプレイインターフェースを通常に利用可能な制御を行う。また、利用可能ステータス情報が利用不能ステータスであれば、ディスプレイインターフェースを通常には利用できない状態とする。ロック画面になっており、パスワードの入力を受け付け、ロック解除可能なように構成されている画面は通常には利用可能でない状態である。ディスプレイインターフェースがパスワードの受付機能のみを有している状態で通常の作業を直ちに開始できる状態でないからである。ただし、ロック画面はこれに限定されず、パスワードの入力を受け付けない画面状態であるように構成してもよい。その場合にはマウスの入力も、キーボードの入力も、カーソルの入力も受け付けないように構成する。
【００４１】
上述したようなコンピュータロックシステムにおいて、受信アンテナ装置０２１０は取り外し可能にコンピュータ本体０２００に接続されており、コンピュータロック中に受信アンテナ装置０２１０がコンピュータ本体から取り外されたとしても、コンピュータ本体０２００は上述したような取得部信号に基づいてアンテナ信号や非アンテナ信号を判断しているので、安全を保つことができる。すなわち、受信アンテナ装置をコンピュータ本体から取り外す、取り外さないに影響を受けることがなく、安全を保つことができる。
【００４２】
また、受信アンテナ装置を他のアンテナ受信装置と取り換えても、第三者利用不可としている。
【００４３】
＜実施形態１  作用：ハードウェア構成（コンピュータ本体）＞
図４に示すように、コンピュータ本体の計算機の構成は、ＣＰＵ４０１と、ＨＤＤ、ＲＯＭ等の不揮発性メモリ０４０２と、Ｄ−ＲＡＭ等の主メモリ０４０３と、インターフェース０４０４とから構成されている。不揮発性メモリ０４０２には、アンテナ信号取得プログラム、判断プログラム、利用可能ステータス情報保持プログラム、利用可能化プログラム、利用不能化プログラム、制御プログラム、等のプログラムが格納されている。データとしては、アンテナ信号、ロック解除ＩＤ、利用可能ステータス情報などがある。これらのプログラムやデータは、主メモリ０４０３の保持領域に読み込まれ、作業領域で実行される。また、インターフェース０４０４には、ディスプレイインターフェース０４０５、キーボードインターフェース０４０６、ネットワークインターフェース０４０７などがある。
【００４４】
＜実施形態１  処理の流れ  受信アンテナ装置＞
図５右図に示すように、受信アンテナ装置の動作は、アンテナ受信プログラムにより無線にてノイズ・無信号を含みうるアンテナ信号を受信するアンテナ信号受信ステップを実行する（ステップ０５０１）。このアンテナ信号は例えば無電源ＲＦＩＤなどからの信号である。コンピュータ本体側でロック解除ＩＤが含まれるか判断される。
【００４５】
次にアンテナ信号出力プログラムにより受信したアンテナ信号をコンピュータ本体に出力するアンテナ信号出力ステップを実行する（ステップ０５０２）。この処理により、アンテナ信号は外部接続されたコンピュータ本体に入力される。
【００４６】
＜実施形態１  処理の流れ  コンピュータ本体＞
図５左図に示すように、上述したようなコンピュータ本体の計算機の動作は、アンテナ信号取得プログラムにより受信アンテナ装置のアンテナ信号出力部０２１２から出力されるアンテナ信号を取得するためのアンテナ信号取得ステップを実行する（ステップ５０３）。
【００４７】
次に判断プログラムによりアンテナ信号取得ステップ０５０３でのアンテナ信号を含む又は、アンテナ信号取得ステップでのアンテナ信号を含まない信号である取得部信号にコンピュータ本体のディスプレイインターフェースが通常に利用可能な状態とするためのＩＤであるロック解除ＩＤが含まれるか間欠的に判断する判断ステップを実行する（ステップ０５０４）。ここで、間欠的な判断動作は、通常の作業であれば、数秒から数十秒程度で設定される。
【００４８】
次に利用可能化プログラムにより判断ステップ０５０４での判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップを実行する（ステップ０５０５）。
【００４９】
ここで、利用可能ステータス情報保持プログラムにより取得部信号に基づいて判断されたコンピュータ本体のディスプレイインターフェースが通常に利用可能な状態とするか否かを示す利用可能ステータス情報が常時保持されている。したがって、利用可能化ステップによって利用可能ステータスに変更されて保持される。また、ロック解除ＩＤと該当コンピュータ本体のログインユーザ情報は関連づけて保持されている。複数台のコンピュータ本体があれば、個別にログイン解除ＩＤを設定することもできるが、コンピュータ本体を共有設定で使用している環境においては、１つのロック解除ＩＤを相互に利用したり、それぞれのロック解除ＩＤを複数設定したりすることができる。さらに、会社や公的機関において該当コンピュータ本体担当のユーザが休んでも他のロック解除ＩＤを設定して利用可能な状態にすることが望ましい。
【００５０】
次に判断ステップ０５０４での判断結果が有効な解除ＩＤを含まないとの判断結果である場合には利用可能ステータス情報保持ステップの利用可能ステータス情報をコンピュータ本体０２００のディスプレイインターフェースがディスプレイを通常には利用できない状態とするための利用不能ステータスとする利用不能化ステップを実行する（ステップ０５０６）。
【００５１】
ここで、ロック解除ＩＤでない場合は、ロック状態になっている場合は継続してロック状態を維持することを意味し、コンピュータ本体との対応関係で関連づけされていないコンピュータはセキュリティ対策が施せる。したがって、ディスプレイインターフェースはそのまま利用できない。これらの利用不能状態情報は利用可能ステータス情報保持部に保持されている。
【００５２】
次に制御プログラムにより利用可能ステータス情報保持部にて保持されている利用可能ステータス情報に基づいてディスプレイインターフェースを制御する制御ステップを実行する（ステップ０５０７）。
【００５３】
ユーザによるコンピュータ利用を終了しない場合は（ステップ０５０８）、上述した処理をアンテナ信号取得ステップに戻り、繰り返す。また、コンピュータ利用を終了する場合（ステップ０５０８）、例えばコンピュータの電源ＯＦＦされた場合は処理を終了する。
再びコンピュータの電源をＯＮすると、コンピュータロックシステムを起動し、該当コンピュータに割り当てられたロック解除ＩＤと利用者ステータス情報に基づいてロック状態とロック解除状態を何らのユーザの操作をすることなく、自動的に制御される。
【００５４】
このように、実施形態１によれば、コンピュータ本体と、コンピュータ本体に外部接続される受信アンテナ装置とからなるコンピュータロックシステムにおいて、受信アンテナ装置が取り外されたとしても、安全を保てるコンピュータロックシステムを提供することができる。
【００５５】
＜実施形態２＞
＜概要＞
実施形態２は、実施形態１を基本として、一部に特徴を有するコンピュータロックシステムである。実施形態２では、コンピュータ本体０２００のアンテナ信号取得部０２０１と、判断部０２０２と、利用可能ステータス情報保持部０２０３と、利用可能化部０２０４と、利用不能化部０２０５と、制御部０２０６と、はコンピュータ本体稼働中は常に動作状態にあるように構成している点に特徴がある。
【００５６】
＜実施形態２  構成＞
図２に示すように、実施形態２のコンピュータロックシステムは、コンピュータ本体０２００と、受信アンテナ装置０２１０と、からなるコンピュータロックシステムであって、受信アンテナ装置０１１０は、アンテナ信号受信部０２１１、アンテナ信号出力部０２１２と、からなり、コンピュータ本体０２００は、アンテナ信号取得部０２０１と、判断部０２０２と、利用可能ステータス情報保持部０１０３と、利用可能化部０２０４と、利用不能化部０２０５と、制御部０２０６と、を有し、コンピュータ本体０２００のアンテナ信号取得部０２０１と、判断部０２０２と、利用可能ステータス情報保持部０２０３と、利用可能化部０２０４と、利用不能化部０２０５と、制御部０２０６とは、コンピュータ稼働中は常に動作状態にあるように構成されている。
【００５７】
＜実施形態２  構成・作用の説明＞
図６に示すように、ケース（ＣＡＳＥ）１の例では、この場合は、コンピュータ本体の電源がＯＮ（コンピュータが稼働中）すると、必ず本コンピュータロックシステムもＯＮとなり、コンピュータ本体のアンテナ信号取得部０２０１と、判断部０２０２と、利用可能ステータス情報保持部０１０３と、利用可能化部０２０４と、利用不能化部０２０５と、制御部０２０６とが動作状態となる。例えば、このような本コンピュータロックシステムの機能がソフトウェアによって実現される場合は、コンピュータロックシステムのソフトウェアがアプリケーションとしてインストールされコンピュータ本体のＯＳ上に常駐することになる。そして、コンピュータ本体の電源がＯＮとなり、コンピュータ本体のアンテナ信号取得部０２０１の取得部信号を判断部０２０２で判断しているので、正常にコンピュータロックシステムが動作する。また、コンピュータ本体の電源がＯＦＦすると、本コンピュータロックシステムもＯＦＦとなる。すなわち、コンピュータ本体のアンテナ信号取得部０２０１と、判断部０２０２と、利用可能ステータス情報保持部０１０３と、利用可能化部０２０４と、利用不能化部０２０５と、制御部０２０６とが非動作状態となる。コンピュータ本体の電源ＯＮ、ＯＦＦと連動して、コンピュータロックシステムもそれぞれＯＮ、ＯＦＦとなる。
【００５８】
図６に示すように、ケース（ＣＡＳＥ）２の例では、コンピュータ本体に受信アンテナ装置が接続または非接続の場合を示す。コンピュータ本体に受信アンテナ装置が外部接続されている場合にコンピュータ本体の電源がＯＮすると、必ず本コンピュータロックシステムもＯＮとなる。すなわち、コンピュータ本体のアンテナ信号取得部０２０１と、判断部０２０２と、利用可能ステータス情報保持部０１０３と、利用可能化部０２０４と、利用不能化部０２０５と、制御部０２０６とが動作状態となる。また、アンテナが外部接続されていても、コンピュータ本体の電源がＯＦＦすると、本コンピュータロックシステムもＯＦＦとなる。すなわち、コンピュータ本体のアンテナ信号取得部０２０１と、判断部０２０２と、利用可能ステータス情報保持部０１０３と、利用可能化部０２０４と、利用不能化部０２０５と、制御部０２０６とが非動作状態となる。
【００５９】
アンテナがＯＦＦ（受信アンテナ装置が取り外された状態）でも、コンピュータ本体の電源がＯＮされると、本コンピュータロックシステムはＯＮとなり、動作状態となる。すなわち、アプリケーションの起動命令がなくても動作する。アンテナがＯＦＦの状態でコンピュータの電源をＯＦＦすると、本コンピュータロックシステムはＯＦＦとなり、ロック制御動作を終了する。コンピュータ本体の電源がＯＮの状態でアンテナを引き抜いても本コンピュータロックシステムは動作を続行する。
【００６０】
このように、実施形態２によれば、実施形態１に加え、受信アンテナ装置が外部接続されていても、外部接続されていなくても、コンピュータ稼働中は常に動作状態にあるので、コンピュータ稼働中におけるセキュリティは継続して維持できる。
【００６１】
＜実施形態３＞
＜概要＞
実施形態３は、実施形態１又は実施形態２を基本として、一部に特徴を有するコンピュータロックシステムである。実施形態３では、受信アンテナ装置が稼働中のコンピュータ本体に外部接続されている場合は、常に動作状態にあるように構成されている点に特徴がある。
【００６２】
＜実施形態３  構成＞
図２に示すように、実施形態３のコンピュータロックシステムは、コンピュータ本体０２００と、受信アンテナ装置０２１０と、からなるコンピュータロックシステムであって、受信アンテナ装置０２１０は、アンテナ信号受信部０２１１、アンテナ信号出力部０２１２と、からなり、コンピュータ本体０２００は、アンテナ信号取得部０２０１と、判断部０２０２と、利用可能ステータス情報保持部０２０３と、利用可能化部０２０４と、利用不能化部０２０５と、制御部０２０６と、を有し、受信アンテナ装置０２１０のアンテナ信号受信部０２１１と、アンテナ信号出力部０２１２と、は稼働中のコンピュータ本体０２００に外部接続されている場合には、常に動作状態にあるように構成されている。
【００６３】
＜実施形態３  構成・作用の説明＞
実施形態３の構成・作用の説明は実施形態２の図６のケース（ＣＡＳＥ）２の説明で詳細に説明したので、説明を省略する。
【００６４】
実施形態３においては、コンピュータ本体０２００に外部接続される受信アンテナ装置０２１０はコンピュータ本０２００体のアンテナ信号取得０２０１から電源供給されるので、受信アンテナ装置にはＯＦＦスイッチがない。すなわち、受信アンテナ装置は自身で電源ＯＦＦする機能は持っていない。
【００６５】
上述した実施形態３の例では、受信アンテナ装置は電源を持たない構成を示したが、コンピュータ本体がノートパソコンのバッテリー駆動時や小型のタブレットなどを利用した場合は電源容量が不足する場合は受信アンテナ装置に外部電源を供給する構成を採用したり、内部に電池、充電可能な二次電池、例えばリチウムイオン電池、ニッケル水素電池などを用いても良い。
【００６６】
このように、実施形態３によれば、実施形態１又は実施形態２に加え、コンピュータ本体に受信アンテナ装置が接続されている場合は常に電源供給されることになるので、受信アンテナ装置のアンテナ信号受信部とアンテナ信号出力部は常に動作状態にあるので、コンピュータロック、ロック解除が継続して行われる。
【００６７】
＜実施形態４＞
＜概要＞
実施形態４は、実施形態１から実施形態３を基本として一部に特徴を有するコンピュータロックシステムである。実施形態４では、スクリーンセイバーとコンピュータロックシステムとの競合調整機能を有する点に特徴がある。
【００６８】
＜実施形態４  構成＞
図７に示すように、実施形態４のコンピュータロックシステムは、コンピュータ本体０７００と、受信アンテナ装置０７１０と、からなるコンピュータロックシステムであって、受信アンテナ装置０７１０は、アンテナ信号受信部０７１１、アンテナ信号出力部０７１２と、からなり、コンピュータ本体０７００は、アンテナ信号取得部０７０１と、判断部０７０２と、利用可能ステータス情報保持部０７０３と、利用可能化部０７０４と、利用不能化部０７０５と、制御部０７０６と、を有し、さらにスクリーンセイバー部０７０７と、競合調整部０７０８と、を有する。
【００６９】
＜実施形態４  構成の説明＞
＜実施形態４  スクリーンセイバー部＞
「スクリーンセイバー部」０７０７はインターフェースからの入力が所定時間ない場合にスクリーンセイバー画面をディスプレイ出力する。インターフェースとしては、キーボード入力やマウス入力などが挙げられる。このような入力が所定時間ないとスクリーンセイバー画面を出力する。通常、ユーザ設定により数分から数十分の設定が可能である。このスクリーンセイバーを、例えばユーザが離席している時に勝手にコンピュータにアクセスできないようにロック目的で使用している場合は数分ぐらいに設定されているケースが多いと思われる。例えば、コンピュータ本体のＯＳがウィンドウズ（登録商標）パソコン（Ｗｉｎｄｏｗｓ１０、Ｗｉｎｄｏｗｓ８．１、Ｗｉｎｄｏｗｓ７等）の場合、コントロールパネル画面を表示させ、ディスクトップのカスタマイズ→個人用設定を選択すると、スクリーンセイバーの設定ができる。そのスクリーンセイバー画面の「再開時にログオン画面に戻る」にチェックを入れておくと、スクリーンセイバーを中断して（例えばマウスを動かす、キーボードのキー入力を行うなどのインターフェース入力をきっかけに中断）入力作業等を行おうとしてときに、ログオン画面になりパスワード入力を要求される。
スクリーンセイバーなしの設定を行った場合はスクリーンセイバー画面が表示されないので、本コンピュータロックシステムには問題が発生しない。上述した「再開時にログオン画面に戻る」にチェックが入っていた場合は、本コンピュータロックシステムと競合する恐れがあるので、制御部０７０６の動作とスクリーンセイバー部０７０７の動作との競合を考える必要がある。
【００７０】
＜実施形態４  競合調整部＞
「競合調整部」０７０８は制御部０７０６の動作と、スクリーンセイバー部０７０７の動作とが競合する場合には制御部０７０６の動作を優先する。なお、スクリーンセイバー部の動作には、スクリーンセイバー画面の表示動作と、作業再開時のログオン画面表示動作の両者を含む。
【００７１】
図８に示すように、このような制御部の動作とスクリーンセイバー部との動作が競合する場合のインターフェースの利用について説明する。図８におけるインターフェース利用がＯＫとは、（１）スクリーンセイバーが起動しない場合と（２）スクリーンセイバーが起動するが、パスワード入力不要の場合を意味する。
【００７２】
スクリーンセイバー部の動作がＯＫで制御部の動作がＯＫの時は、インターフェース利用がＯＫである。スクリーンセイバー部の動作がＮＧ（スクリーンセイバー画面表示動作ないしはログオン画面表示動作をすべきであるとスクリーンセイバー部が判断している場合）でも制御部の動作がＯＫの時は、インターフェース利用がＯＫであり、制御部の動作が優先される。また、スクリーンセイバー部の動作がＯＫ（スクリーンセイバー画面表示動作ないしはログオン画面表示動作をすべきでないとスクリーンセイバー部が判断している場合）でも、制御部の動作がＮＧであれば、制御部の動作が優先されてインターフェース利用がＮＧとなる。スクリーンセイバー部と制御部の動作がともにＮＧであれば、インターフェース利用もＮＧとなる。
【００７３】
以上のように、本コンピュータロックシステムは動作することになる。
その他の構成は、実施形態１の図２の構成と同様であるので、説明を省略する。
【００７４】
＜実施形態４  作用：ハードウェア構成（コンピュータ本体）＞
図９に示すように、コンピュータ本体の計算機の構成は、ＣＰＵ９０１と、ＨＤＤ、ＲＯＭ等の不揮発性メモリ０９０２と、Ｄ−ＲＡＭ等の主メモリ０９０３と、インターフェース０９０４、ディスプレイインターフェース０９０５、キーボードインターフェース０９０６、ネットワークインターフェース０９０７とから構成されている。不揮発性メモリ０９０２には、スクリーンセイバープログラム、競合調整プログラム等のプログラムが格納されている。データとしては、アンテナ信号、ロック解除ＩＤ、利用可能ステータス情報などがある。これらのプログラムやデータは、主メモリ０９０３の保持領域に読み込まれ、作業領域で実行される。その他のプログラムは実施形態１の図４の構成と同様であるので、説明を省略する。
【００７５】
＜実施形態４  処理の流れ  受信アンテナ装置＞
図１０右図に示すように、アンテナ信号受信ステップ１００１とアンテナ信号出力ステップ１００２を実行すると、受信アンテナ装置０７１０からのアンテナ信号が外部接されたコンピュータ本体０７００に入力される。アンテナ信号受信ステップ１００１とアンテナ信号出力ステップ１００３の処理は、実施形態１の図５のアンテナ信号受信ステップ０５０１とアンテナ信号出力ステップ０５０２と同様であるので、詳細な説明は省略する。
【００７６】
＜実施形態４  処理の流れ  コンピュータ本体＞
図１０左図に示すように、上述したようなコンピュータ本体の計算機の動作は、アンテナ信号取得ステップ１００３、判断ステップ１００４、利用可能化ステップ１００５、利用不能化ステップ１００６、制御ステップ１００７を実行することにより、アンテナ信号取得部０７０１からの図３に示すような取得部信号にロック解除ＩＤが含まれているか否かで判断し（ステップ１００４）、利用可能化ステップ１００５と利用不能化ステップ１００６を実行し、利用可能ステータス情報保持部０７０３の利用可能ステータスまたは利用不能ステータスを利用可能ステータス情報として常時保持する。処理ステップ１００３〜１００７までの処理は、実施形態１の図５の処理ステップ０５０３から０５０７までの処理と同様であるので、詳細な説明を省略する。
【００７７】
上述したような状態において、スクリーンセイバー起動タイミングか判断するスクリーンセイバー起動タイミング判断ステップを実行する（ステップ１００８）。スクリーンセイバー起動タイミング判断ステップ１００８での判断結果、スクリーンセイバー起動タイミングの場合は制御プログラムとの動作とスクリーンセイバープログラムの動作とが競合するので、制御部の動作を優先する競合調整ステップを実行する（ステップ１００９）。ここでスクリーンセイバー起動タイミングとは、スクリーンセイバーが起動していない状態からスクリーンセイバー部の判断でスクリーンセイバーを起動すべきであると判断するタイミングの他に、スクリーンセイバーがすでに起動しており、そのスクリーンセイバーの動作を続行すべきか判断するタイミングも含むものとする。またスクリーンセイバーの起動には、スクリーンセイバーを表示する動作の他にログオン画面を表示する動作も含まれるものとする。
【００７８】
競合調整ステップでの調整の結果を受けてスクリーンセイバーを起動状態とするかのスクリーンセイバー起動判断ステップを実行する（ステップ１０１０）。競合調整ステップでスクリーンセイバーの起動状態が認められる場合には、スクリーンセイバーステップを実行する（ステップ１０１１）。スクリーンセイバーステップは、スクリーンセイバーをディスプレイ上に表示するか、ログオン画面をディスプレイ上に表示する。スクリーンセイバーが起動しない場合は、制御部の制御に任せる。スクリーンセイバーの起動状態の後、又は、制御を制御部に任せたのち、利用終了判断ステップを実行する（ステップ１０１２）。
【００７９】
利用終了判断ステップにて利用終了と判断しない場合には再度アンテナ信号取得ステップに戻る。スクリーンセイバー起動状態でアンテナ信号取得ステップに戻る場合と、スクリーンセイバー起動なしでアンテナ信号取得ステップに戻る場合の二通りの戻り方がある。スクリーンセイバーが起動している場合とは、制御部が利用ステータス情報中のステータスである利用不能ステータスに基づいてディスプレイインターフェースを通常利用できない状態にしている場合であり、その制御状態が継続している限りスクリーンセイバーを起動状態に継続するか、制御状態を通常のディスプレイインターフェースを利用可能な状態にするかの競合調整ステップが繰り返し実行される。スクリーンセイバーが継続中にロック解除ＩＤが取得部信号に含まれていると判断部が判断する場合には利用可能化部が利用可能ステータス情報を利用可能ステータスに変更し、これに伴って競合調整部は、スクリーンセイバー解除の判断がスクリーンセイバー部にて行われない場合でも制御部の制御を優先しディスプレイインターフェースを通常の利用が可能な状態とするとの競合調整をおこなう。これに伴ってスクリーンセイバー起動判断はスクリーンセイバー起動なし、つまりスクリーンセイバー終了との判断を下し、ディスプレイが通常の利用状態で利用可能な状態になる。
【００８０】
上述した処理を、ユーザがコンピュータ利用を終了するまで（ステップ１０１２）繰り返す。
【００８１】
このように、本実施形態４によれば、実施形態１から実施形態３に加え、例えばウィンドウズ（登録商標）パソコンのスクリーンセイバーとコンピュータロックシステムとが競合した場合はロックシステムの制御を優先するので、ユーザフレンドリーなセキュリティ確保が維持できる。
【００８２】
＜実施形態５＞
＜概要＞
実施形態５は、実施形態１から実施形態４のいずれかを基本として、一部に特徴を有するコンピュータロックシステムである。実施形態５では、ディスプレイインターフェースを通常には利用不能状態（コンピュータロックがかかっている状態）において、ロック解除ＩＤが取得部信号に含まない場合でも正しいパスワードを受け付けたときには利用可能ステータス情報を利用可能ステータスに固定する点に特徴がある。
【００８３】
＜実施形態５  構成＞
図１１に示すように、実施形態５のコンピュータロックシステムは、コンピュータ本体１１００と、受信アンテナ装置１１１０と、からなるコンピュータロックシステムであって、受信アンテナ装置１１１０は、アンテナ信号受信部１１１１、アンテナ信号出力部１１１２と、からなり、コンピュータ本体１１００は、アンテナ信号取得部１１０１と、判断部１１０２と、利用可能ステータス情報保持部１１０３と、利用可能化部１１０４と、利用不能化部１１０５と、制御部１１０６と、を有し、パスワード入力受付部１１０７と、パスワード判断部１１０８と、利用可能ステータス固定部１１０９と、をさらに有する。
【００８４】
＜実施形態５  構成の説明＞
＜実施形態５  パスワード入力受付部＞
「パスワード入力受付部」１１０７は、判断部１１０２での判断結果が有効な解除ＩＤを含まないとの判断結果であり、コンピュータ本体１１００のディスプレイインターフェースがディスプレイを通常には利用できない状態である場合に、パスワード入力の受け付け有無の判断を行う。例えば、コンピュータ本体に接続されたキーボードやタブレットＰＣのタッチ画面に表示されたソフトウェアキーボードなどからパスワードが入力されると、パスワード判断部１１０８の処理に進む。
【００８５】
＜実施形態５  パスワード判断部＞
「パスワード判断部」１１０８は、パスワードが正しいパスワードであるか判断する。ここで、例えばコンピュータ本体がウィンドウズ（登録商標）パソコンであれば、該当コンピュータのログインパスワードとして設定されたものと同じであれば、パスワードは正常と判断する。
【００８６】
＜実施形態５  利用可能ステータス固定部＞
「利用可能ステータス固定部」１１０８はパスワード判断部１１０８での判断結果がパスワードが正しいパスワードであるとの判断結果である場合に、強制的に利用可能ステータス情報保持部１１０３の利用可能ステータス情報を利用可能ステータスに固定とする。
すなわち、本コンピュータロックシステムは、パスワードが正常であれば、利用可能ステータス情報保持部１１０３の利用可能ステータス情報を利用不能ステータスから利用可能ステータスに固定とする。コンピュータ本体のディスプレイインターフェースが通常の利用可能な状態になる。このように構成するのは万が一ロック解除ＩＤの発信源が故障したり、ロック解除ＩＤの発信源を紛失したような場合の緊急避難策が必要だからである。従って、このパスワードは会社のシステム管理者などの高度の権限を有する者が秘匿して保持していることが好ましい。またいったんこのパスワードを利用してロック解除したのちに間欠的にロック解除ＩＤの取得有無を判断させるとすると、ほんの数秒間しかロック解除状態を維持できないという問題が生じ、実質的にロック解除してコンピュータを操作するということ不可能になる。そこでパスワードを利用してロック解除した場合には、ロック解除ＩＤの取得判断などの通常の処理をやめて常時利用可能ステータス情報のステータスが利用可能ステータスに固定しておくのである。その他の構成は、実施形態１の図２の構成と同様であるので、説明を省略する。
【００８７】
＜実施形態５  作用：ハードウェア構成（コンピュータ本体）＞
図１２に示すように、コンピュータ本体の計算機の構成は、ＣＰＵ１２０１と、ＨＤＤ、ＲＯＭ等の不揮発性メモリ１２０２と、Ｄ−ＲＡＭ等の主メモリ１２０３と、インターフェース１２０４、ディスプレイインターフェース１２０５、キーボードインターフェース１２０６、ネットワークインターフェース１２０７とから構成されている。不揮発性メモリ１２０２には、パスワード入力受付プログラム、パスワード判断プログラム、利用可能化ステータス固定プログラム等のプログラムが格納されている。データとしては、アンテナ信号、ロック解除ＩＤ、利用可能ステータス情報などがある。これらのプログラムやデータは、主メモリ１２０３の保持領域に読み込まれ、作業領域で実行される。その他のプログラムは実施形態１の図４の構成と同様であるので、説明を省略する。
【００８８】
＜実施形態５  処理の流れ  受信アンテナ装置＞
図１３右図に示すように、アンテナ信号受信ステップ１３０１とアンテナ信号出力ステップ１３０２を実行すると、受信アンテナ装置１１１０からのアンテナ信号が外部接されたコンピュータ本体１１００に入力される。アンテナ信号受信ステップ１３０１とアンテナ信号出力ステップ１３０２の処理は、実施形態１の図５のアンテナ信号受信ステップ０５０１とアンテナ信号出力ステップ０５０２と同様であるので、詳細な説明は省略する。
【００８９】
＜実施形態５  処理の流れ  コンピュータ本体＞
図１３左図に示すように、上述したようなコンピュータ本体の計算機の動作は、アンテナ信号取得ステップ１３０３、判断ステップ１３０４、利用可能化ステップ１３０５、利用不能化ステップ１３０６、制御ステップ１３０７を実行することにより、アンテナ信号取得部１１０１からの図３に示すような取得部信号にロック解除ＩＤが含まれているか否かで判断し（ステップ１３０４）、利用可能化ステップ１３０５と利用不能化ステップ１３０６を実行し、利用可能ステータス情報保持部１１０３の利用可能ステータスまたは利用不能ステータスを利用可能ステータス情報として常時保持する。処理ステップ１３０３〜１３０７までの処理は、実施形態１の図５の処理ステップ０５０３から０５０７までの処理と同様であるので、詳細な説明を省略する。
【００９０】
上述したような状態で制御ステップ１３０７のロック制御下において、コンピュータ本体のディスプレイインターフェースがディスプレイを通常には利用できない利用不能状態か否かの判断ステップを実行する（ステップ１３０８）。利用不能状態でない場合は（ステップ１３０８）、アンテナ信号取得ステップ１３０３の処理に戻る。
【００９１】
コンピュータ本体のディスプレイインターフェースがディスプレイを通常には利用できない状態（利用不能状態）の場合は（ステップ１３０８）、パスワード入力受付プログラムによりパスワード入力の受け付け有無の判断を行うパスワード入力受付ステップを実行する（ステップ１３０９）。次にパスワード判断プログラムによりパスワードが正しいパスワードであるか判断するためのパスワード判断ステップを実行する（ステップ１３１０）。次にパスワード判断ステップ１３１０での判断結果がパスワードが正しいパスワードであるとの判断結果である場合に、利用可能ステータス情報固定プログラムにより強制的に利用可能ステータス情報保持部の利用可能ステータス情報を利用可能ステータスに固定とする利用可能ステータス固定ステップを実行する（ステップ１３１１）。次に制御プログラムでのロック制御処理に制御を渡す（ステップ１３１２）制御部は利用可能ステータスに基づいて処理を行うが、利用可能ステータス情報は、利用可能ステータスで固定されているためにコンピュータの利用が終了とされるまで通常の状態でディスプレイが利用できる利用可能状態に制御される。さらに、電源オフにした後に再立ち上げする場合でも利用可能ステータスに固定されるように構成されることが好ましい。次にユーザによるコンピュータの利用終了か否かを判断し（ステップ１３１３）、利用終了でない場合は制御ステップ１３１２に戻り上述した処理を繰り返す。ユーザによるコンピュータの利用終了の場合（ステップ１３１３）、例えばコンピュータの電源ＯＦＦの場合はロックシステムを終了する。
【００９２】
このように、実施形態５によれば、実施形態１から実施形態４に加え、例えばウィンドウズ（登録商標）パソコンなどにおいて、コンピュータロック中であっても、正しいパスワードであれば、パスワード入力を受け付け、コンピュータ本体のディスプレイインターフェースが利用不能状態であっても、そのディスプレイインターフェースを通常の利用可能な状態に変更できるので、該当コンピュータの正当なユーザであれば、作業を継続して行うことができる。
【００９３】
＜実施形態６＞
＜概要＞
実施形態６は、実施形態５を基本として、一部に特徴を有するコンピュータロックシステムである。実施形態６では、利用可能ステータスに固定されている場合に機能を不活性化する不活性部を有する点に特徴がある。
【００９４】
＜実施形態６  構成＞
図１４に示すように、実施形態６のコンピュータロックシステムは、コンピュータ本体１４００と、受信アンテナ装置１４１１と、からなるコンピュータロックシステムであって、受信アンテナ装置１４１１は、アンテナ信号受信部１４１２、アンテナ信号出力部１４１３と、からなり、コンピュータ本体１４００は、アンテナ信号取得部１４０１と、判断部１００２と、利用可能ステータス情報保持部１００３と、利用可能化部１００４と、利用不能化部１４０５と、制御部１４０６と、パスワード入力受付部１４０７と、パスワード判断部１４０８と、利用可能ステータス固定部１４０９と、を有し、さらに不活性化部１４１０を有する。
【００９５】
＜実施形態６  構成の説明＞
＜実施形態６  不活性化部＞
「不活性化部」１４１０は利用可能ステータス固定部１４０９にて利用可能ステータス情報が利用可能ステータスに固定されている場合に、コンピュータ本体１４００のアンテナ信号取得部１４０１と、判断部１４０２と、利用不能化部１４０５と、によってコンピュータ本体１４００のディスプレイインターフェースがディスプレイを通常には利用できない状態とすることができないように機能を不活性化する。すなわち、本コンピュータロックシステムの機能を停止することを意味する。
【００９６】
＜実施形態６  作用：ハードウェア構成（コンピュータ本体）＞
図１５に示すように、コンピュータ本体の計算機の構成は、ＣＰＵ１５０１と、ＨＤＤ、ＲＯＭ等の不揮発性メモリ１５０２と、Ｄ−ＲＡＭ等の主メモリ１５０３と、インターフェース１５０４、ディスプレイインターフェース１５０５、キーボードインターフェース１５０６、ネットワークインターフェース１５０７とから構成されている。不揮発性メモリ１５０２には、不活性化プログラム等のプログラムが格納されている。データとしては、アンテナ信号、ロック解除ＩＤ、利用可能ステータス情報などがある。これらのプログラムやデータは、主メモリ１５０３の保持領域に読み込まれ、作業領域で実行される。その他のプログラムは実施形態５の図１２の構成と同様であるので、説明を省略する。
【００９７】
＜実施形態６  処理の流れ  受信アンテナ装置＞
図１６右図に示すように、アンテナ信号受信ステップ１６０１とアンテナ信号出力ステップ１６０２を実行すると、受信アンテナ装置１４１１からのアンテナ信号が外部接されたコンピュータ本体１４００に入力される。アンテナ信号受信ステップ１４０１とアンテナ信号出力ステップ１４０２の処理は、実施形態１の図５のアンテナ信号受信ステップ０５０１とアンテナ信号出力ステップ０５０２と同様であるので、詳細な説明は省略する。
【００９８】
＜実施形態６  処理の流れ  コンピュータ本体＞
図１６左図に示すように、上述したようなコンピュータ本体の計算機の動作は、アンテナ信号取得ステップ１６０３、判断ステップ１６０４、利用可能化ステップ１６０５、利用不能化ステップ１６０６、制御ステップ１６０７を実行することにより、アンテナ信号取得部１４０１からの図３に示すような取得部信号にロック解除ＩＤが含まれているか否かで判断し（ステップ１６０４）、利用可能化ステップ１６０５と利用不能化ステップ１６０６を実行し、利用可能ステータス情報保持部１４０３に利用可能ステータスまたは利用不能ステータスを利用可能ステータス情報として常時保持する。処理ステップ１６０３〜１６０７までの処理は、実施形態１の図５の処理ステップ０５０３から０５０７までの処理と同様であるので、詳細な説明を省略する。
【００９９】
上述したような状態で制御ステップ１６０７のロック制御下において、コンピュータ本体のディスプレイインターフェースがディスプレイを通常には利用できない利用不能状態か否かの判断ステップを実行する（ステップ１６０８）。利用不能状態でない場合は（ステップ１６０８）、アンテナ信号取得ステップ１６０３の処理に戻る。
【０１００】
コンピュータ本体のディスプレイインターフェースがディスプレイを通常には利用できない状態（利用不能状態）の場合は（ステップ１６０８）、パスワード入力受付プログラムによりパスワードの入力を受け付けるか否かの判断を行う入力受付判断ステップを実行する（ステップ１６０９）。
【０１０１】
パスワード入力受付判断ステップ１６０９において、パスワード入力を受付た場合、次にパスワード判断プログラムによりパスワードが正しいパスワードであるか判断するためのパスワード判断ステップを実行する（ステップ１６１０）。
【０１０２】
次にパスワード判断ステップ１６１０での判断結果がパスワードが正しいパスワードであるとの判断結果である場合に、利用可能ステータス情報固定プログラムにより強制的に利用可能ステータス情報保持部の利用可能ステータス情報を利用可能ステータスに固定とする利用可能ステータス固定ステップを実行する（ステップ１６１１）。
【０１０３】
上記パスワード入力受付判断ステップ１６０９において、パスワード入力受付がなかった場合、アンテナ信号取得ステップ１６０３に戻る。
【０１０４】
次に不活性化プログラムにより利用可能ステータス固定部１４０９にて利用可能ステータス情報が利用可能ステータスに固定されている場合に、コンピュータ本体１４００のアンテナ信号取得部１４０１と、判断部１４０２と、利用不能化部１４０５と、によってコンピュータ本体１４００のディスプレイインターフェースがディスプレイを通常には利用できない状態とすることができないように機能を不活性化する（ステップ１６１２）。すなわち、本コンピュータロックシステムの機能を停止することを意味する。次に制御プログラムでのロック制御処理に制御を渡す（ステップ１６１３）。制御プログラムは利用可能ステータス情報に基づいて制御するが利用可能ステータス情報は利用可能ステータスに固定されているので制御は利用可能状態に固定される。次にユーザによるコンピュータの利用終了か否かを判断し（ステップ１６１４）、利用終了でない場合は制御ステップ１６１３に戻り上述した処理を繰り返す。
ユーザによるコンピュータの利用終了の場合（ステップ１６１４）、例えばコンピュータの電源ＯＦＦの場合はロックシステムを終了する。ただし、電源ＯＦＦの後再度電源をＯＮにしてコンピュータ本体を再立ち上げする場合には、再度ロックシステムが稼働すると不都合である場合があるので、再立ち上げ後も不活性化状態や、利用可能ステータス情報の固定化は再現されるように構成することが好ましい。
【０１０５】
＜実施形態７＞
＜概要＞
実施形態７は、実施形態１から実施形態６のいずれかを基本として、一部に特徴を有するコンピュータロックシステムである。実施形態７では、コンピュータ本体と、コンピュータ本体に外部接続される受信アンテナ装置とはＵＳＢケーブル経由で接続され、コンピュータ本体から受信アンテナ装置への給電がされている点に特徴がある。
【０１０６】
＜実施形態７  構成＞
図１７に示すように、実施形態７のコンピュータロックシステムは、コンピュータ本体１７００と、受信アンテナ装置１７１０と、からなるコンピュータロックシステムであって、受信アンテナ装置１７１０は、アンテナ信号受信部１７１１、アンテナ信号出力部１７１３と、からなり、コンピュータ本体１７００は、アンテナ信号取得部１７０１と、判断部１７０２と、利用可能ステータス情報保持部１７０３と、利用可能化部１７０４と、利用不能化部１７０５と、制御部１７０６と、を有し、コンピュータ本体１７００と、コンピュータ本体１７００に外部接続される受信アンテナ装置１７１０とはＵＳＢケーブル（インターフェースケーブル）経由で接続されている。
【０１０７】
＜実施形態７  構成の説明＞
＜実施形態７  ＵＳＢケーブル接続給電＞
コンピュータ本体１７００と、コンピュータ本体１７００に外部接続される受信アンテナ装置１７１０と、はＵＳＢケーブル経由で接続され受信アンテナ装置１７１０のアンテナ信号出力部１７１２と、コンピュータ本体１７００のアンテナ信号取得部１７０１と、はこのＵＳＢケーブルにて信号の受け渡しをし、受信アンテナ装置１７１０は、このＵＳＢケーブルにて給電されている。
【０１０８】
ここで、コンピュータ本体１７００のアンテナ信号取得部１７０１と受信アンテナ装置１７１０のアンテナ信号出力部１７１２とには、図示しないＵＳＢコネクタを備えたＵＳＢインターフェース回路をそれぞれ有しており、ＵＳＢケーブルを接続することにより、プラグ＆プレイでデバイスの認識を行うことができる。すなわち、アンテナ信号取得部１７０１は受信アンテナ装置１７１０のアンテナ信号出力部１７１２から自身のＩＤ情報とアンテナ信号等を取得することができる。ＵＳＢコネクタとしては、ＵＳＢ Type-A、Type-B、Type-C、mini B、micro B等のいずれのコネクタを用いても良い。ＵＳＢインターフェースは、ＵＳＢ２．０、ＵＳＢ３．０、ＵＳＢ３．１等のインターフェースが利用できる。給電能力としては、ＵＳＢ２．０で５Ｖ、５００ミリアンペア、ＵＳＢ３．０では、５Ｖ、９００ミリアンペア、ＵＳＢ３．１では５Ｖ、１０００ミリアンペアが確保できる。ＵＳＢ給電を行う場合は、受信アンテナ装置の有効交信範囲の距離によって使用される電力が異なってくるので、ＵＳＢインターフェースは必要な電力に合わせて選択すれば良い。コンピュータ本体が小型のタブレットＰＣなどの場合は、コネクタが小さいのでmicro BコネクタのＵＳＢケーブルを利用しても良い。コンピュータ本体のＵＳＢインターフェースから所望の電力給電が得られない場合は、コンピュータ本体の電源をバッテリー駆動ではなく、ＡＣ電源アダプタを介してＡＣ電源に接続し、アンテナ信号取得部から給電を行うようにしても良い。
その他の構成については、実施形態１の図２の構成と同様であるので、説明を省略する。
【０１０９】
＜実施形態７  作用：ハードウェア構成（コンピュータ本体）＞
実施形態１の図４の構成と同様であるので、説明を省略する。
【０１１０】
＜実施形態７  処理の流れ＞
受信アンテナ装置とコンピュータ本体との処理の流れについては、実施形態１の図５の処理の流れと同様であるので、説明を省略する。
【０１１１】
このように、実施形態７によれば、実施形態１から実施形態６に加え、コンピュータ本体と外部接続される受信アンテナ装置とは、ＵＳＢケーブルで接続され、コンピュータ本体から受信アンテナ装置に給電されているので、受信アンテナ装置には電源を不要とすることができる。
【０１１２】
＜実施形態８＞
＜概要＞
実施形態８は、実施形態１から実施形態７のいずれかを基本として、一部に特徴を有するコンピュータロックシステムである。実施形態８では、受信アンテナ装置のアンテナ信号受信部は、無電源ＲＦＩＤから信号を受信するように構成されている点に特徴がある。
【０１１３】
＜実施形態８  構成＞
図１７に示すように、実施形態８のコンピュータロックシステムは、コンピュータ本体１７００と、受信アンテナ装置１７１０と、からなるコンピュータロックシステムであって、受信アンテナ装置１７１０は、アンテナ信号受信部１７１１、アンテナ信号出力部１７１２と、からなり、コンピュータ本体１７００は、アンテナ信号取得部１７０１と、判断部１７０２と、利用可能ステータス情報保持部１７０３と、利用可能化部１７０４と、利用不能化部１７０５と、制御部１７０６と、を有し、受信アンテナ装置１７１０のアンテナ信号受信部１７１１は、無電源ＲＦＩＤ１７１３から信号を受信するように構成されている。
【０１１４】
＜実施形態８  構成の説明＞
受信アンテナ装置１７１０のアンテナ信号受信部１７１１は、無電源ＲＦＩＤ１７１３から信号を受信するように構成されている。ここで、無電源ＲＦＩＤ１７１３は、カード型、無線タグ等の形状を問わない。例えば、社員用のようなカード型でも良く、無線タグのような小型の装置でも良い。
無電源ＲＦＩＤ１７１３と受信アンテナ装置１７１０との有効交信範囲を１メートルぐらいに設定すれば、コンピュータ本体が複数台隣接して設置された場合でも、他の受信アンテナ装置との混信を防ぐことができる。なお受信アンテナは指向性があるアンテナであることが好ましい。アンテナの高感度志向は、そのコンピュータ本体の操作をする利用者の座席方向に向けられていることが好ましい。
その他の構成については、実施形態１の図２の構成と同様であるので、説明を省略する。
【０１１５】
＜実施形態８  作用：ハードウェア構成（コンピュータ本体）＞
実施形態１の図４の構成と同様であるので、説明を省略する。
＜実施形態８  処理の流れ＞
受信アンテナ装置とコンピュータ本体との処理の流れについては、実施形態１の図５の処理の流れと同様であるので、詳細な説明を省略し、実施形態８のポイントを説明する。例えばカード型の社員証のような無電源ＲＦＩＤや、無線タグのような小型の無電源ＲＦＩＤをユーザが首にかけたり、衣服のポケットに入れて置けば、コンピュータの作業中に席を離れて有効交信範囲を超えると、自動的にコンピュータにロックがかかり、席に近づく、又は席に戻ると、すなわち有効交信範囲内に入ると、自動的にロックが解除される。この有効交信範囲とは、例えば受信アンテナ装置が外部接続されたコンピュータ本体からの距離が１メートルぐらいの範囲が望ましい。
【０１１６】
このように、実施形態８によれば、実施形態１から実施形態７に加え、例えばカード型の社員証のような無電源ＲＦＩＤや、無線タグのような小型の無電源ＲＦＩＤをユーザが首にかけたり、衣服のポケットに入れて置けば、ユーザがコンピュータの作業中に有効交信範囲を超えて席を離れると、自動的にコンピュータにロックがかかり、ユーザが席に近づき有効交信範囲内に入ると、自動的にロックが解除される。例えばユーザとコンピュータ本体からの距離が１メートルぐらいの範囲であれば、ロック解除ができる。
【０１１７】
＜実施形態９＞
＜概要＞
実施形態９は、実施形態１から実施形態８のいずれか一を基本として、一部に特徴を有するコンピュータロックシステムである。
【０１１８】
図１８に示すように、コンピュータ本体、コンピュータ本体に外部接続された受信アンテナ装置、ディスプレイ等から構成されるコンピュータ（システム）１８００はネットワーク（有線ＬＡＮ、無線ＬＡＮ、モバイルネットワーク、クラウドネットワーク、インターネット、ブロードバンド等を含む）１８０１を介してコンピュータ１８００と同様な構成を備えたコンピュータ１８０２に接続されており、コンピュータ本体のネットワーク接続対応機能を有している点に特徴がある。
【０１１９】
＜実施形態９  構成＞
図１９に示すように、実施形態９のコンピュータロックシステムは、コンピュータ本体１９００と、受信アンテナ装置１９１０と、からなるコンピュータロックシステムであって、受信アンテナ装置１９１０は、アンテナ信号受信部１９１１、アンテナ信号出力部１９１３と、からなり、コンピュータ本体１９００は、アンテナ信号取得部１９０１と、判断部１９０２と、利用可能ステータス情報保持部１９０３と、利用可能化部１９０４と、利用不能化部１９０５と、制御部１９０６と、を有し、ネットワーク経由信号判断部１９０７と、ネットワーク経由インターフェース信号出力部１９０８と、をさらに有する。
【０１２０】
＜実施形態９  構成の説明＞
＜実施形態９  ネットワーク経由信号判断部＞
「ネットワーク経由信号判断部」１９０７はネットワーク（有線ＬＡＮ、無線ＬＡＮ、モバイルネットワーク、クラウドネットワーク、インターネット、ブロードバンド等を含む）１９０９を介して受信した信号にそのネットワークを介して接続されている接続コンピュータ（図１８右図を参照）のアンテナ信号取得部からのアンテナ信号を含む又は、アンテナ信号取得部からのアンテナ信号を含まない信号である取得部信号にコンピュータ本体１９００のディスプレイインターフェースが通常に利用可能な状態とするためのＩＤであるロック解除ＩＤが含まれるか間欠的に判断する。ここで、間欠的な判断動作は、通常の作業であれば、数秒から数十秒程度で設定される。これは、リモートディスクトップを実現するもので、ネットワーク１９０９介して接続されたコンピュータからコンピュータ本体１９００に真正のロック解除ＩＤがネットワーク経由で送られてきたかをネットワーク経由信号判断部１９０７で判断すると、コンピュータのロック中であっても、コンピュータ本体１９００のディスプレイインターフェースが通常に利用可能な状態とする。
すなわち、コンピュータ本体１９００はネットワーク１９０９に接続された他のコンピュータ本体に取得部信号を送信して渡す。
【０１２１】
＜実施形態９  ネットワーク経由インターフェース信号出力部＞
「ネットワーク経由インターフェース信号出力部」１９０８はネットワーク経由信号判断部１９０７での判断結果がロック解除ＩＤ信号が含まれるとの判断結果である場合にはコンピュータ本体のインターフェースが通常に利用可能な状態のインターフェース信号をネットワークを介して前記接続コンピュータに送信する（図１８左図を参照）。このネットワーク経由インターフェース信号を受信した接続コンピュータによるディスプレイインターフェースの通常の利用が可能となり、リモートディスクトップが実現できる。ロック解除ＩＤ信号を含まない場合はコンピュータがロック中であれば、ロックを継続されることになる。
【０１２２】
＜実施形態９  作用：ハードウェア構成（コンピュータ本体）＞
図２０に示すように、コンピュータ本体の計算機の構成は、ＣＰＵ２００１と、ＨＤＤ、ＲＯＭ等の不揮発性メモリ２００２と、Ｄ−ＲＡＭ等の主メモリ２００３と、インターフェース２００４、ディスプレイインターフェース２００５、キーボードインターフェース２００６、ネットワークインターフェース２００７とから構成されている。不揮発性メモリ２００２には、ネットワーク経由信号判断プログラム、ネットワークインターフェース信号出力プログラム等のプログラムが格納されている。データとしては、アンテナ信号、ロック解除ＩＤ、利用可能ステータス情報などがある。これらのプログラムやデータは、主メモリ２００３の保持領域に読み込まれ、作業領域で実行される。その他のプログラムは実施形態１の図４の構成と同様であるので、説明を省略する。
【０１２３】
＜実施形態９  処理の流れ  コンピュータ本体＞
図１６に示すように、上述したようなコンピュータ本体の計算機の動作は、ネットワーク経由信号判断プログラムによりネットワークを介して受信した信号にネットワークを介して接続されている接続コンピュータのアンテナ信号取得部からのアンテナ信号を含む又は、アンテナ信号取得部からのアンテナ信号を含まない信号である取得部信号にコンピュータ本体のディスプレイインターフェースが通常に利用可能な状態とするためのＩＤであるロック解除ＩＤが含まれるか間欠的に判断するネットワーク経由信号判断ステップを実行する（ステップ２１０１）。
【０１２４】
次に判断プログラムによりネットワーク経由信号判断ステップ２１０２でのアンテナ信号を含む又は、ネットワーク経由信号判断ステップ２１０２でのアンテナ信号を含まない信号である取得部信号にコンピュータ本体のディスプレイインターフェースが通常に利用可能な状態とするためのＩＤであるロック解除ＩＤが含まれるか間欠的に判断する判断ステップを実行する（ステップ２１０２）。
【０１２５】
次に利用可能化プログラムにより判断ステップ２１０２での判断結果が有効な解除ＩＤを含むとの判断結果である場合には利用可能ステータス情報保持部の利用可能ステータス情報をコンピュータ本体のディスプレイインターフェースが通常に利用可能な状態とするための利用可能ステータスとする利用可能化ステップを実行する（ステップ２１０３）。
【０１２６】
次に判断ステップ２１０２での判断結果が有効な解除ＩＤを含まないとの判断結果である場合には利用可能ステータス情報保持ステップの利用可能ステータス情報をコンピュータ本体２１００のディスプレイインターフェースがディスプレイを通常には利用できない状態とするための利用不能ステータスとする利用不能化ステップを実行する（ステップ２１０４）。
【０１２７】
次に制御プログラムにより利用可能ステータス情報保持部にて保持されている利用可能ステータスに基づいてディスプレイインターフェースを制御する制御ステップを実行する（ステップ２１０５）。
【０１２８】
ネットワーク経由インターフェース信号出力部１９０８はネットワーク経由信号判断部１９０７での判断結果がロック解除信号が含まれるとの判断結果である場合にはコンピュータ本体のインターフェースが通常に利用可能な状態のインターフェース信号をネットワークを介して前記接続コンピュータに送信するネットワーク経由インターフェース信号出力ステップを実行する（ステップ２１０６）。
【０１２９】
ユーザによるコンピュータ利用を終了しない場合は（ステップ２１０７）、上述した処理をネットワーク経由信号判断ステップ２１０１に戻り、繰り返す。また、コンピュータ利用を終了する場合（ステップ２１０７）、例えばコンピュータの電源ＯＦＦされた場合は処理を終了する。
再びコンピュータの電源をＯＮすると、コンピュータロックシステムを起動し、該当コンピュータに割り当てられたロック解除ＩＤと利用者ステータス情報に基づいてロック状態とロック解除状態を何らのユーザの操作をすることなく、自動的に制御される。
【０１３０】
このように、実施形態９によれば、実施形態１から実施形態８に加え、コンピュータ本体のネットワーク接続対応が可能となるので、リモートコンピュータ接続によるロックとロック解除の制御が実現できる。
【０１３１】
このように、実施形態１から実施形態９によれば、コンピュータ本体と、コンピュータ本体に外部接続される受信アンテナ装置とからなるコンピュータロックシステムにおいて、受信アンテナ装置が取り外されたとしても、安全を保てるコンピュータロックシステムを提供することができる。
【符号の説明】
【０１３２】
０１００  コンピュータ本体
０１０１  アンテナ信号取得部
０１０２  判断部
０１０３  利用可能ステータス情報保持部
０１０４  利用可能化部
０１０５  利用不能化部
０１０６  制御部
０１１０  受信アンテナ装置
０１１１  アンテナ信号受信部
０１１２  アンテナ信号出力部
０２０１  ＣＰＵ
０２０２  不揮発性メモリ
０２０３  主メモリ
０２０４  インターフェース
０２０５  ディスプレイインターフェース
０２０６  キーボードインターフェース
０２０７  ネットワークインターフェース
０３０１  アンテナ信号受信ステップ
０３０２  アンテナ信号出力ステップ
０３０３  アンテナ信号取得ステップ
０３０４  ロック解除ＩＤ判断ステップ
０３０５  利用可能化ステップ
０３０６  利用不能化ステップ
０３０７  制御ステップ
０４０７  スクリーンセイバー部
０４０８  競合調整部
０６１０  競合調整ステップ
０６１１  スクリーンセイバーステップ
０７０７、１００７  パスワード入力受付部
０７０８、１００８  パスワード判断部
０７０９、１００９  利用可能ステータス固定部
０９０９、１２０９  パスワード入力受付ステップ
０９１０、１２１０  パスワード判断ステップ
０９１１、１２１１  利用可能ステータス情報固定ステップ
１０１０  不活性化部
１２１２  不活性化ステップ
１３１３  ＲＦＩＤ
１４０７  ネットワーク経由信号判断部
１４０８  ネットワーク経由インターフェース信号出力部
１６０１  ネットワーク経由信号判断ステップ
１６０６  ネットワーク経由インターフェース信号出力ステップ
【図１】
2020161166.tif 000003
【図２】
2020161166.tif 000004
【図３】
2020161166.tif 000005
【図４】
2020161166.tif 000006
【図５】
2020161166.tif 000007
【図６】
2020161166.tif 000008
【図７】
2020161166.tif 000009
【図８】
2020161166.tif 000010
【図９】
2020161166.tif 000011
【図１０】
2020161166.tif 000012
【図１１】
2020161166.tif 000013
【図１２】
2020161166.tif 000014
【図１３】
2020161166.tif 000015
【図１４】
2020161166.tif 000016
【図１５】
2020161166.tif 000017
【図１６】
2020161166.tif 000018
【図１７】
2020161166.tif 000019
【図１８】
2020161166.tif 000020
【図１９】
2020161166.tif 000021
【図２０】
2020161166.tif 000022
【図２１】
2020161166.tif 000023
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
コンピュータ本体のロック／ロック解除を制御するコンピュータロックシステムであって、
前記コンピュータ本体は、
前記コンピュータ本体に接続された受信アンテナ装置からアンテナ信号を取得するためのアンテナ信号取得部と、
前記アンテナ信号取得部からの取得部信号に、ロックされている前記コンピュータ本体をロック解除するためのロック解除ＩＤが含まれるか否かを間欠的に判断する判断部と、
前記コンピュータ本体が利用可能な第１の状態又は利用不能な第２の状態のいずれかを示す利用可能ステータス情報を保持する利用可能ステータス情報保持部と、
前記取得部信号に、有効な前記ロック解除ＩＤが含まれる場合に、前記利用可能ステータス情報保持部の利用可能ステータス情報を、前記第１の状態とする利用可能化部と、
前記取得部信号に、有効な前記ロック解除ＩＤが含まれない場合に、前記利用可能ステータス情報保持部の利用可能ステータス情報を、前記第２の状態とする利用不能化部と、
前記利用可能ステータス情報保持部に保持されている前記利用可能ステータス情報に基づいて、前記コンピュータ本体の前記ロック／ロック解除を制御する制御部と、を有する、
コンピュータロックシステム。
【請求項２】
前記アンテナ信号取得部と、前記判断部と、前記利用可能ステータス情報保持部と、前記利用可能化部と、前記利用不能化部と、前記制御部とは、前記コンピュータ本体が稼働中は動作状態にあるように構成される、
請求項１に記載のコンピュータロックシステム。
【請求項３】
前記受信アンテナ装置は、
前記アンテナ信号を受信するアンテナ信号受信部と、
受信した前記アンテナ信号を前記コンピュータ本体に出力するアンテナ信号出力部と、
を有し、
前記アンテナ信号受信部と、アンテナ信号出力部とは、稼働中の前記コンピュータ本体に接続されている場合には、動作状態にあるように構成される、
請求項１又は２に記載のコンピュータロックシステム。
【請求項４】
前記コンピュータ本体は、
インターフェースからの入力が所定時間ない場合に、スクリーンセイバー画面をディスプレイ出力するスクリーンセイバー部と、
前記制御部の動作と、前記スクリーンセイバー部の動作とが競合する場合には、前記制御部の動作を優先する競合調整部と、をさらに有する、
請求項１から請求項３のいずれか一に記載のコンピュータロックシステム。
【請求項５】
前記判断部により前記取得部信号に有効な解除ＩＤが含まれないと判断され、前記コンピュータ本体が前記第２の状態である場合に、前記パスワードの入力を受け付けるパスワード入力受付部と、
前記パスワードが正しいパスワードであるか否かを判断するためのパスワード判断部と、
前記パスワード判断部により前記パスワードが正しいパスワードであると判断される場合に、強制的に利用可能ステータス情報保持部の利用可能ステータス情報を前記第１の状態に固定する利用可能ステータス固定部と、をさらに有する、
請求項１から請求項４のいずれか一に記載のコンピュータロックシステム。
【請求項６】
前記利用可能ステータス固定部により前記利用可能ステータス情報が第１の状態に固定されている場合に、前記利用不能化部の動作を不活性化する不活性化部をさらに有する、
請求項５に記載のコンピュータロックシステム。
【請求項７】
前記受信アンテナ装置は、前記コンピュータ本体とＵＳＢ接続される、
請求項１から６のいずれか一に記載のコンピュータロックシステム。
【請求項８】
前記受信アンテナ装置は、無電源ＲＦＩＤから信号を受信するように構成される、
請求項１から７のいずれか一に記載のコンピュータロックシステム。
【請求項９】
前記コンピュータ本体は、
ネットワークを介して接続される他のコンピュータ本体から受信する信号に、前記ロック解除ＩＤが含まれるか否かを判断するネットワーク経由信号判断部と、
前記ネットワーク経由信号判断部により前記信号に有効なロック解除ＩＤが含まれるとの判断される場合に、前記コンピュータ本体のインターフェースを利用可能にするインターフェース信号を、前記ネットワークを介して、前記他のコンピュータ本体に送信するネットワーク経由インターフェース信号出力部と、を有する、
請求項１から請求項８のいずれか一に記載のコンピュータロックシステム。
【請求項１０】
コンピュータ本体のロック／ロック解除を制御する方法であって、
前記コンピュータ本体のアンテナ信号取得部が、前記コンピュータ本体に接続された受信アンテナ装置からアンテナ信号を取得することと、
前記コンピュータ本体の判断部が、前記アンテナ信号取得部からの取得部信号に、ロックされている前記コンピュータ本体をロック解除するためのロック解除ＩＤが含まれるか否かを間欠的に判断することと、
前記コンピュータ本体の利用可能化部が、前記判断部により前記取得部信号に有効な前記ロック解除ＩＤが含まれると判断される場合に、前記利用可能ステータス情報保持部の利用可能ステータス情報を、前記コンピュータ本体が利用可能な第１の状態とすることと、
前記コンピュータ本体の利用不能化部が、前記判断部により前記取得部信号に有効な前記ロック解除ＩＤが含まれないと判断される場合に、前記利用可能ステータス情報保持部の利用可能ステータス情報を、前記コンピュータ本体が利用不能な第２の状態とすることと、
前記コンピュータ本体の制御部が、前記利用可能ステータス情報保持部に保持されている前記利用可能ステータス情報に基づいて、前記コンピュータ本体の前記ロック／ロック解除を制御することと、を含む、
方法。
【請求項１１】
コンピュータ本体に、該コンピュータ本体のロック／ロック解除を制御する方法を実現させるコンピュータプログラムであって、
前記方法は、
前記コンピュータ本体のアンテナ信号取得部が、前記コンピュータ本体に接続された受信アンテナ装置からアンテナ信号を取得することと、
前記コンピュータ本体の判断部が、前記アンテナ信号取得部からの取得部信号に、ロックされている前記コンピュータ本体をロック解除するためのロック解除ＩＤが含まれるか否かを間欠的に判断することと、
前記コンピュータ本体の利用可能化部が、前記判断部により前記取得部信号に有効な前記ロック解除ＩＤが含まれると判断される場合に、前記利用可能ステータス情報保持部の利用可能ステータス情報を、前記コンピュータ本体が利用可能な第１の状態とすることと、
前記コンピュータ本体の利用不能化部が、前記判断部により前記取得部信号に有効な前記ロック解除ＩＤが含まれないと判断される場合に、前記利用可能ステータス情報保持部の利用可能ステータス情報を、前記コンピュータ本体が利用不能な第２の状態とすることと、
前記コンピュータ本体の制御部が、前記利用可能ステータス情報保持部に保持されている前記利用可能ステータス情報に基づいて、前記コンピュータ本体の前記ロック／ロック解除を制御することと、を含む、
コンピュータプログラム。